(57)【特許請求の範囲】
【請求項１】
表示手段と、
それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、切り出された複数の画像をリサイズして同一サイズの複数の表示画像を生成して前記表示手段に表示させる制御手段と、
を備える画像表示装置。
【請求項２】
前記制御手段は、各サムネイル画像について、前記サムネイル画像に含まれる前記有効画像領域の中心を通る前記短辺の各画素に対応する画素が全て含まれるように、前記複数の表示画像を生成する
請求項１に記載の画像表示装置。
【請求項３】
前記制御手段は、前記短辺のサイズが、当該短辺に対応する前記所定サイズの表示画像の辺のサイズとなるように、各サムネイル画像のサイズを、当該サムネイル画像のアスペクト比を保持して変更して、複数のリサイズ画像を生成し、当該複数のリサイズ画像から、各リサイズ画像の中心を重心とする前記複数の表示画像を切り出す請求項２に記載の画像表示装置。
【請求項４】
それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、
切り出された複数の画像をリサイズして同一サイズの複数の表示画像を生成し、
前記複数の表示画像を表示手段に表示させる
画像表示方法。
【請求項５】
それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、
切り出された複数の画像をリサイズして同一サイズの複数の表示画像を生成するステップと、
前記複数の表示画像を表示手段に表示させるステップと
を含むコンピュータにより実行可能な画像表示プログラム。
【発明の詳細な説明】
【技術分野】
【０００１】
本発明は、画像表示装置、画像表示方法、及び画像表示プログラムに関する。
【背景技術】
【０００２】
近年普及しているデジタルカメラや、カメラ付き携帯電話機の撮像装置により取得された画像の多くは、デジタルスチルカメラ用画像ファイルフォーマット規格（以下、Ｅｘｉｆ（登録商標）（ＥＸｃｈａｎｇｅａｂｌｅ  Ｉｍａｇｅ  Ｆｉｌｅ  ｆｏｒｍａｔ）という）に準拠した形式になっている（例えば特許文献１に記載）。
【０００３】
Ｅｘｉｆ（登録商標）形式の画像ファイルは、メイン画像のデータの他に、カメラ情報と、サムネイル画像のデータを含む。サムネイル画像のデータは、高画素化されているメイン画像のデータに比べて、データ量が少なく、高速処理が可能である。このため、Ｅｘｉｆ（登録商標）形式の画像ファイルに含まれるサムネイル画像を使うと、画像の一覧を素早く表示することができる。
【０００４】
ところが、Ｅｘｉｆ（登録商標）形式の画像ファイルにおいては、メイン画像は縦長の画像、横長の画像があり、また、様々なアスペクト比（アスペクト比）の画像があるのに対して、サムネイル画像は、アスペクト比「４：３」、画像サイズ「１６０×１２０」と規定されている。サムネイル画像には、アスペクト比を保持して縮小されたメイン画像が格納されている。このため、Ｅｘｉｆ（登録商標）形式の画像ファイルに含まれるサムネイル画像を用いて画像一覧を作成すると、表示部分に余白部分が生じてしまうことがある。
【０００５】
図９を参照してこれをより詳細に説明する。図９は、Ｅｘｉｆ（登録商標）形式の画像ファイル中のメイン画像５０１が縦長の画像の場合を示す。Ｅｘｉｆ（登録商標）形式の画像ファイルのサムネイル画像はアスペクト比「４：３」の横長画像なので、縦長の画像とは合致しない。したがって、Ｅｘｉｆ（登録商標）形式の画像ファイル中のメイン画像５０１が縦長の場合、これに対するサムネイル画像５０２には、図９に示すように、左右に余白部分（斜線で示す）が生じてくる。
【０００６】
図１０は、Ｅｘｉｆ（登録商標）形式の画像ファイル中のメイン画像６０１のアスペクト比が「４：３」より横長（例えばアスペクト比「１６：９」）の場合を示す。Ｅｘｉｆ（登録商標）形式の画像ファイルのサムネイル画像はアスペクト比「４：３」なので、アスペクト比「１６：９」の画像とは合致しない。したがって、Ｅｘｉｆ（登録商標）形式の画像ファイル中のメイン画像６０１のアスペクト比が「１６：９」の場合、これに対するサムネイル画像６０２には、図１０に示すように、上下に余白部分が生じる。
【０００７】
そこで、Ｅｘｉｆ（登録商標）形式の画像ファイルのサムネイル画像から画像一覧を作成する際に、サムネイル画像中の余白部分を除去して一覧表示することが考えられる。しかしながら、余白部分を除いてサムネイル画像を一覧表示すると、図１１に示すように、一覧画面中に様々なアスペクト比の画像が混在することになり、表示が乱雑になり、視認性が悪化する。
【０００８】
特に携帯電話機は、待受画面やアイコン表示などのさまざまなアプリケーションで画像を利用するため、一般的なデジタルカメラに比べ、多くの画像サイズやアスペクト比のものが存在する。したがって、画像を一覧表示する場合にサムネイル画像を用いると、異なるサイズの画像が混在して表示されるため視認性が悪化する。
【０００９】
また、特許文献２及び特許文献３には、正方形状の画像を一覧表示画像として表示することで、画像の視認性を高めるようにした表示装置が記載されている。このように、正方形状の画像を一覧表示画像として表示すれば、視認性を向上させることができる。
【先行技術文献】
【特許文献】
【００１０】
【特許文献１】国際公開第ＷＯ０２／４１６２９号
【特許文献２】日本国特開２００６−２６２０７１号公報
【特許文献３】日本国特開２００７−８９０８６号公報
【発明の概要】
【発明が解決しようとする課題】
【００１１】
上述のように、Ｅｘｉｆ（登録商標）形式の画像ファイル中のメイン画像のサイズやアスペクト比は様々であるのに対して、サムネイル画像はサイズやアスペクト比が規格により定められている。このため、Ｅｘｉｆ（登録商標）形式の画像ファイルに含まれているサムネイル画像から画像の一覧画面を生成すると、画像に余白部分が付加され、視認性が良くない。
【００１２】
また、特許文献２及び特許文献３に記載されている表示装置は、Ｅｘｉｆ（登録商標）形式の画像ファイルのサムネイル画像からではなく、メイン画像から、一覧表示用の正方形状の画像を生成している。また、これらの表示装置は、一覧表示を行う毎に、メイン画像から撮影時のフォーカス位置を中心に切り出し、その後に一覧表示用サイズにリサイズを行っている。このように、特許文献２及び特許文献３に示されている表示装置は、データ量の大きなメイン画像のデータを扱っているため、処理に負担がかかり、処理速度が遅くなる。また、これらの表示装置は、メイン画像を展開するために、大容量のメモリを必要とし、処理の遅れだけでなく、メモリ不足などにより編集自体が困難になるなどの問題が考えられる。
【００１３】
上述の課題を鑑み、本発明は、記憶している画像一覧を見やすく表示できると共に、画像一覧表示を高速に行える画像表示装置、画像表示方法、及び画像表示プログラムを提供することを目的とする。
【課題を解決するための手段】
【００１４】
上述の課題を解決するために、本発明に係る画像表示装置は、表示手段と、それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、切り出された複数の画像をリサイズして同一サイズの複数の表示画像を生成して前記表示手段に表示させる制御手段と、を備える。
【００１５】
本発明に係る画像表示方法は、それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、切り出された複数の画像をリサイズして同一サイズの複数の表示画像を生成し、前記複数の表示画像を表示手段に表示させる。
【００１６】
本発明に係る画像表示プログラムは、それぞれ異なるアスペクト比の複数のメイン画像のそれぞれと対応付けられ、前記メイン画像と同じアスペクト比の有効画像領域とを有する複数のサムネイル画像から、前記有効画像領域の短辺に基づくサイズの複数の画像を切り出し、切り出された複数の画像をリサイズして同一サイズの複数の表示画像を生成するステップと、前記複数の表示画像を表示手段に表示させるステップとを含む。
【発明の効果】
【００１７】
本発明によれば、余白を除いた同一サイズの正方形状の表示画像が並んだ状態で、画像一覧が表示できるため、視認性を向上させることができる。また、本発明によれば、データ量が小さく、画サイズやアスペクト比が決まっているサムネイル画像のデータから表示画像を生成するため、高速処理が可能である。
【図面の簡単な説明】
【００１８】
【図１】本発明の第１の実施形態に係る画像表示装置を示すブロック図である。
【図２】本発明の第１の実施形態で用いられるＥｘｉｆ（登録商標）形式の画像ファイルのデータ構造を示す図である。
【図３】本発明の第１の実施形態における正方形状の一覧表示画像を生成する処理を示すフローチャートである。
【図４】本発明の第１の実施形態における正方形状の一覧表示画像を生成する処理を示す説明図である。
【図５】本発明の第１の実施形態における正方形状の一覧表示画像を生成する処理を示す説明図である。
【図６】本発明の第１の実施形態における一覧表示画像を示す説明図である。
【図７】本発明の第２の実施形態における正方形状の一覧表示画像を生成する処理を示すフローチャートである。
【図８】本発明の第２の実施形態における正方形状の一覧表示画像を生成する処理を示す説明図である。
【図９】Ｅｘｉｆ（登録商標）形式の画像ファイルにおけるサムネイル画像に余白部分が生じる従来例を示す図である。
【図１０】Ｅｘｉｆ（登録商標）形式の画像ファイルにおけるサムネイル画像に余白部分が生じる他の従来例を示す図である。
【図１１】アスペクト比の異なる表示画像による従来の一覧表示を示す図である。
【発明を実施するための形態】
【００１９】
以下、本発明の実施形態について図面を参照して説明する。
＜第１の実施形態＞
図１は、本発明の第１の実施形態に係る画像表示装置であるカメラ付き携帯電話機１の構成を示すブロック図である。図１に示すように、カメラ付き携帯電話機１は、撮像装置２１と、制御部２２と、内蔵アンテナ２３と、無線部２４と、信号処理部２５と、スピーカ２７と、マイクロホン２８と、音声処理部２９と、記憶部３０と、表示部３１と、各種キー３２とを備えている。
【００２０】
撮像装置２１としては、ＣＣＤ（Ｃｈａｒｇｅ  Ｃｏｕｐｌｅｄ  Ｄｅｖｉｃｅ）撮像素子や、ＣＭＯＳ（Ｃｏｍｐｌｅｍｅｎｔａｒｙ  ＭＯＳ）撮像素子が用いられる。撮像装置２１で撮像された被写体像は、デジタル化され、制御部２２の制御の基に、例えばＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮符号化され、Ｅｘｉｆ（登録商標）形式の画像ファイルで、記憶部３０に格納される。
【００２１】
制御部２２は、ＣＰＵ（Ｃｅｎｔｒａｌ  Ｐｒｏｃｅｓｓｉｎｇ  Ｕｎｉｔ）からなり、機器全体の制御を行っている。制御部２２に対して、記憶部３０と表示部３１とが設けられる。記憶部３０には、上述のように、撮像装置２１で撮像された画像データが格納されると共に、電話帳データやメールデータ等、各種のデータが格納される。また、記憶部３０としては、内蔵メモリの他、カード型のフラッシュメモリを用いるようにしても良い。
【００２２】
表示部３１は、例えば液晶ディスプレイである。表示部３１には、各種の文字や画像が表示される。また、表示部３１は、撮像装置２１で画像を撮像する際に、ビューファインダーとして用いることができる。また、表示部３１には、記憶部３０に格納した画像データの再生画面を表示することができる。さらに、本発明の第１の実施形態においては、記憶部３０に格納されている画像の一覧を表示部３１に表示することができる。このとき、本発明の第１の実施形態においては、画像一覧が同一サイズの正方形状の画像で並んで表示される。
【００２３】
なお、このように、記憶部３０に格納されている画像の一覧を同一サイズの正方形状の画像で並んで表示させるために、本発明の第１の実施形態において制御部２２は、所定のプログラムを実行することで、画像ファイル抽出部５１と正方形画像生成部５２とを備える。
画像ファイル抽出部５１は、記憶部３０からＥｘｉｆ（登録商標）形式の画像ファイルを読み出し、この読み出された画像ファイルに含まれているサムネイル画像を抽出する。
正方形画像生成部５２は、画像ファイル抽出部５１が抽出したサムネイル画像から正方形状の表示画像を生成する。
【００２４】
内蔵アンテナ２３、無線部２４、信号処理部２５、スピーカ２７、マイクロホン２８、音声処理部２９は、携帯電話機能を実現するものである。携帯電話の通信方式としては、ＰＤＣ（Ｐｅｒｓｏｎａｌ  Ｄｉｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、ＣＤＭＡ−２０００、ＷＣＤＭＡ（Ｗｉｄｅｂａｎｄ  ＣＤＭＡ）等の各種のものがあるが、本発明は、どのような方式のものを用いても良い。
【００２５】
内蔵アンテナ２３は、近隣の基地局からの電波を受信し若しくは近隣の基地局に電波を送信する。無線部２４は、近隣の基地局との間で無線による通信を行う。信号処理部２５は、送受信信号の処理を行う。スピーカ２７は音声を出力し、マイクロホン２８は音声を取得する。音声処理部２９は、スピーカ２７へ供給するために受話音声の信号など各種音声信号を処理し、またマイクロホン２８により送信する音声信号を処理する。
【００２６】
上述のように、本発明の第１の実施形態に係るカメラ付き携帯電話機１では、撮像装置２１で被写体像を撮像すると、撮像装置２１からの撮像信号が、制御部２２の制御の基に、例えばＪＰＥＧ形式で圧縮され、Ｅｘｉｆ（登録商標）形式の画像ファイルで、記憶部３０に記憶される。
【００２７】
図２は、Ｅｘｉｆ（登録商標）形式（Ｅｘｉｆ２．１）の画像ファイルのデータ構造を示す。図２に示すように、Ｅｘｉｆ（登録商標）形式の画像ファイルは、ヘッダと、サムネイル画像と、メイン画像とからなる。ヘッダには、画素数、圧縮モード、撮影日時、機種名、絞り値、色空間等、撮影時のカメラ情報が記述される。メイン画像のサイズ及びアスペクト比は、「２４０×３２０」、「４８０×６４０」、「９６０×１２８０」、「１０２４×１２８０」、「３２０×２４０」、「６４０×４８０」、「１２８０×９６０」、「１２８０×１０２４」等、様々なものがある。
サムネイル画像は、規格によりアスペクト比「４：３」、画像サイズ「１６０×１２０」と規定されている。また、サムネイル画像には、アスペクト比を保持して縮小されたメイン画像の領域である有効画像領域が含まれる。
【００２８】
また、カメラ付き携帯電話機１は、Ｅｘｉｆ（登録商標）形式の画像ファイルに含まれているサムネイル画像から、同一サイズの正方形状の表示画像を生成して、画像一覧として表示している。このように、画像一覧が同一サイズの正方形状の画像で並んで表示されるため、視認性を向上させることができる。
【００２９】
図３は、本発明の第１の実施形態における、Ｅｘｉｆ（登録商標）形式の画像ファイルに含まれているサムネイル画像から正方形状の表示画像を生成する処理を示すフローチャートである。
【００３０】
図３において、Ｅｘｉｆ（登録商標）形式の画像ファイルに含まれているサムネイル画像から正方形状の表示画像を生成する際に、制御部２２は、記憶部３０からＥｘｉｆ（登録商標）形式の画像ファイルを読み出し、Ｅｘｉｆ（登録商標）形式の画像ファイルに含まれているサムネイル画像を抽出する（ステップ１０１）。次に、制御部２２は、このサムネイル画像から有効画像領域の短辺を特定する。そして、制御部２２は、このサムネイル画像のサイズを、特定した短辺のサイズが正方形状の表示画像の一辺のサイズとなるように、アスペクト比を保持してリサイズする（ステップ１０２）。そして制御部２２は、リサイズされた画像の中心を検出し（ステップ１０３）、この画像の中心を重心とする正方形状の画像を切り出す（ステップ１０４）。これにより、有効画像領域の中心を通る有効画像領域の短辺の各画素に対応する画素が全て含まれる、所定サイズの正方形状の表示画像が生成される。そして、制御部２２は、生成された正方形状の画像を一覧表示画像として表示する（ステップ１０５）。
【００３１】
前述したように、Ｅｘｉｆ（登録商標）形式のファイルのサムネイル画像は、アスペクト比「４：３」、画像サイズ「１６０×１２０」に規格化されている。これに対して、メイン画像は、様々なアスペクト比のものがある。したがって、サムネイル画像には、図４に示すように、余白部分が生じることがある。
【００３２】
図４において、サムネイル画像１０１は、サムネイル画像の左右に余白部分が生じている例である。このような余白部分は、撮像した画像が縦長の画像であるのに対して、Ｅｘｉｆ（登録商標）形式の画像ファイルに含まれているサムネイル画像が横長であることから生じている。このように、その左右に余白部分が生じているサムネイル画像１０１の場合には、その短辺の長さは、有効画像領域の横方向のサイズＡ１となる。
【００３３】
また、図４において、サムネイル画像２０１は、サムネイル画像の上下に余白部分が生じている例である。このような余白画像は、撮像した画像のアスペクト比が「４：３」より横長（例えば「１６：９」）であるのに対して、Ｅｘｉｆ（登録商標）形式の画像ファイルに含まれているサムネイル画像がアスペクト比「４：３」であることから生じている。このように、上下に余白部分が生じているサムネイル画像２０１の場合には、その短辺の長さは、有効画像領域の縦方向のサイズＢ２となる。
【００３４】
ここで、画像を一覧表示するときの表示画像は、図５に示すように、「Ｍ×Ｍ」のサイズの正方形状の画像である。
【００３５】
ステップ１０１で、記憶部３０から読み出されたＥｘｉｆ（登録商標）形式の画像ファイルから、図４におけるサムネイル画像１０１が抽出された場合には、ステップ１０２で、サムネイル画像１０１の有効画像領域の部分の短辺のサイズＡ１が正方形状の表示画像の一辺のサイズＭとなるようにリサイズされる。これにより、図４に示すように、リサイズ画像１０２が生成される。
【００３６】
また、ステップ１０１で、記憶部３０から読み出されたＥｘｉｆ（登録商標）形式の画像ファイルから、図４におけるサムネイル画像２０１が抽出された場合には、ステップ１０２で、サムネイル画像１０１の有効画像領域の部分の短辺のサイズＢ２が表示画像の一辺のサイズＭとなるようにリサイズされる。これにより、図４に示すような、リサイズ画像２０２が生成される。
【００３７】
図４に示すように、リサイズ画像１０２、２０２が生成されたら、ステップ１０３で、リサイズ画像１０２、２０２の中心が検出され、ステップ１０４で、このリサイズ画像１０２、２０２の中心から正方形状の画像が切り出される。
【００３８】
リサイズ画像１０２の場合には、ステップ１０３で、その画像の中心Ｐ１が検出され、ステップ１０４で、中心Ｐ１から、サイズ（Ｍ×Ｍ）の正方形状の部分が切り出される。
これにより、図４に示すように、一辺の長さがＭの正方形状の表示画像１０３が生成される。
【００３９】
また、リサイズ画像２０２の場合には、ステップ１０３で、その画像の中心Ｐ２が検出され、ステップ１０４で、中心Ｐ２から、サイズ（Ｍ×Ｍ）の正方形状の部分が切り出される。これにより、図４に示すように、一辺の長さがＭの正方形状の表示画像２０３が生成される。
【００４０】
このようにして、正方形状の表示画像が生成されたら、ステップ１０５で、図６に示すように、正方形状の表示画像が一覧表示画像として表示される。図６に示すように、本発明の第１の実施形態に係るカメラ付き携帯電話機１では、余白を除いた同一サイズの正方形状の表示画像が並んだ状態となる。このため、視認性を向上させることができる。
【００４１】
また、本発明の第１の実施形態に係るカメラ付き携帯電話機１は、上述のように、Ｅｘｉｆ（登録商標）形式の画像ファイルに含まれているサムネイル画像から、同一サイズの正方形状の表示画像を生成して、画像一覧として表示している。このとき扱う画像データは、サムネイル画像のデータであり、データ量が小さく、画サイズやアスペクト比が決まっている。また、このときの処理は、リサイズ処理と、画像の切り出し処理であり、複雑な演算処理を必要としない。このため、高速処理が可能であり、また、大容量のメモリを必要としない。
【００４２】
＜第２の実施形態＞
次に、本発明の第２の実施形態について説明する。前述の第１の実施形態における画像表示装置は、Ｅｘｉｆ（登録商標）形式の画像ファイルに含まれているサムネイル画像を抽出し、このサムネイル画像を有効画像領域の短辺を表示画像の一辺に合わせてリサイズし、このリサイズした画像の中心を検出し、このリサイズした画像の中心から正方形状の画像を切り出して、所定サイズの正方形状の表示画像を生成している。
【００４３】
これに対して、この第２の実施形態は、Ｅｘｉｆ（登録商標）形式の画像ファイルに含まれているサムネイル画像を抽出し、このサムネイル画像の中心を検出し、このサムネイル画像の中心から画像の有効画像領域に合わせて正方形状の画像を切り出し、切り出した正方形状の画像をリサイズして、所定サイズの正方形状の表示画像を生成する。他の部分については、第１の実施形態と同様であり、重複説明を省略する。
【００４４】
図７は、本発明の第２の実施形態における、Ｅｘｉｆ（登録商標）形式の画像ファイルに含まれているサムネイル画像から正方形状の表示画像を生成する処理を示すフローチャートである。
【００４５】
図７において、Ｅｘｉｆ（登録商標）形式の画像ファイルに含まれているサムネイル画像から正方形状の表示画像を生成する際に、制御部２２は、記憶部３０からＥｘｉｆ（登録商標）形式の画像ファイルを読み出し、このＥｘｉｆ（登録商標）形式の画像ファイルに含まれているサムネイル画像を抽出する（ステップ２０１）。そして、制御部２２は、このサムネイル画像の中心を検出し（ステップ２０２）、このサムネイル画像の中心から、画像の有効画像領域に合わせて正方形状の画像を切り出す（ステップ２０３）。
具体的には、制御部２２は、サムネイル画像に含まれる有効画像領域の中心を通る有効画像領域の短辺の各画素が全て含まれるように正方形状の画像を切り出す。そして、制御部２２は、この切り出された正方形状の切り出し画像の一辺のサイズが、正方形状の表示画像の一辺のサイズとなるようにリサイズする（ステップ２０４）。これにより、有効画像領域の中心を通る有効画像領域の短辺の各画素に対応する画素が全て含まれる、所定サイズの正方形状の表示画像が生成される。そして、制御部２２は、生成された正方形状の画像を一覧表示画像として表示する（ステップ２０５）。
【００４６】
つまり、図８において、サムネイル画像３０１は、サムネイル画像の左右に余白部分が生じている例である。また、図８において、サムネイル画像４０１は、サムネイル画像の上下に余白部分が生じている例である。また、画像を一覧表示するときの表示画像は、「Ｍ×Ｍ」のサイズの正方形状の画像であるとする。
【００４７】
ステップ２０１で、記憶部３０から読み出されたＥｘｉｆ（登録商標）形式の画像ファイルから、図８におけるサムネイル画像３０１が抽出された場合には、ステップ２０２で、サムネイル画像３０１の中心Ｐ３が検出され、ステップ２０３で、サムネイル画像３０１の中心Ｐ３から有効画像領域が正方形状に切り出される。これにより、図８において、正方形状の切り出し画像３０２が得られる。このとき切り出される正方形状の切り出し画像３０２の一辺の長さは、サムネイル画像３０１の有効画像領域の短辺となる横方向のサイズＡ３となる。
【００４８】
また、ステップ２０１で、記憶部３０から読み出されたＥｘｉｆ（登録商標）形式の画像ファイルから、図８におけるサムネイル画像４０１が抽出された場合には、ステップ２０２で、サムネイル画像４０１の中心Ｐ４が検出され、ステップ２０３で、サムネイル画像４０１の中心Ｐ４から有効画像領域が正方形状に切り出される。これにより、図８において、正方形状の切り出し画像４０２が得られる。このとき、切り出される正方形状の切り出し画像４０２の一辺の長さは、サムネイル画像４０１の有効画像領域の短辺となる縦方向のサイズＢ４となる。
【００４９】
そして、ステップ２０４で、この正方形状の切り出し画像３０２、４０２の一辺のサイズが正方形状の表示画像の一辺のサイズとなるようにリサイズされる。
【００５０】
図８において、切り出された画像が正方形状の切り出し画像３０２の場合には、その一辺の長さはＡ３となる。よって、ステップ２０４で、一辺の長さがＡ３の正方形状の切り出し画像３０２が、一辺の長さがＭの表示画像の長さとなるようにリサイズされる。これにより、図８に示すような、正方形状の表示画像３０３が生成される。
【００５１】
図８において、切り出された画像が正方形状の切り出し画像４０２の場合には、その一辺の長さはＢ４となる。よって、ステップ２０４で、一辺の長さがＢ４の正方形状の切り出し画像４０２が、一辺の長さがＭの表示画像の長さとなるように、リサイズされる。これにより、図８に示すような、正方形状の表示画像４０３が生成される。
【００５２】
本発明の第２の実施形態でも、余白を除いた同一サイズの正方形状の表示画像が並んだ状態で、画像一覧が表示できるため、視認性を向上させることができる。また、このとき扱う画像データは、データ量が小さく、画サイズやアスペクト比が決まっているサムネイル画像のデータであり、また、このときの処理は、画像の切り出し処理と、リサイズ処理とであり、複雑な演算処理を必要としない。このため、高速処理が可能であり、また、大容量のメモリを必要としない。
【００５３】
本発明は、上述した実施形態に限定されるものではなく、この発明の要旨を逸脱しない範囲内で様々な変形や応用が可能である。
なお、本実施形態では、一覧表示する表示画像として所定サイズの正方形状の画像を用いる場合を説明したが、これに限られず、所定サイズの矩形画像を用いても良い。
【００５４】
上述した第１の実施形態において、矩形画像を表示画像として用いる場合、制御部２２は、ステップ１０２で、以下の処理を行う。すなわち、制御部２２は、有効画像領域の短辺のサイズが、当該短辺に対応する表示画像の辺のサイズとなるように、サムネイル画像のサイズを、アスペクト比を保持して変更してリサイズする処理を行う。
例えば、表示画像として「１６０×１２０」の矩形画像を用いる場合、まず、制御部２２は、有効画像領域の短辺が横方向であるか縦方向であるかを判定する。有効画像領域の短辺が横方向である場合、有効画像領域の短辺のサイズが、表示画像の横方向の辺のサイズ、即ち１６０となるように、サムネイル画像のサイズを、アスペクト比を保持して変更してリサイズする。他方、有効画像領域の短辺が縦方向である場合、有効画像領域の短辺のサイズが、表示画像の縦方向の辺のサイズ、即ち１２０となるように、サムネイル画像のサイズを、アスペクト比を保持して変更してリサイズする。
このような処理により、第１の実施形態において矩形画像を表示画像として用いることができる。
【００５５】
上述した第２の実施形態において、矩形画像を表示画像として用いる場合、制御部２２は、ステップ２０３で、以下の処理を行う。すなわち、制御部２２は、サムネイル画像に含まれる有効画像領域の中心を通る有効画像領域の短辺の各画素が全て含まれるように、表示画像と同じアスペクト比を有する矩形画像を切り出す処理を行う。
例えば、表示画像として「１６０×１２０（アスペクト比４：３）」の矩形画像を用い、サムネイル画像の有効画像領域のサイズが「１６０×９０」である場合、制御部２２は、「１２０×９０（アスペクト比４：３）」の矩形画像を切り出す。
他方、表示画像として「１６０×１２０（アスペクト比４：３）」の矩形画像を用い、サムネイル画像の有効画像領域のサイズが「１００×１２０」である場合、制御部２２は、「１００×７５（アスペクト比４：３）」の矩形画像を切り出す。
このような処理により、第２の実施形態において矩形画像を表示画像として用いることができる。
本願は、２０１０年１０月４日に、日本に出願された特願２０１０−２２４６５２号に基づき優先権を主張し、その内容をここに援用する。
【産業上の利用可能性】
【００５６】
本発明は、画像ファイルの一覧を表示させる画像表示装置に適用することができ、画像一覧表示の視認性を向上させることができる。
【符号の説明】
【００５７】
１：携帯電話機
２１：撮像装置
２２：制御部
２３：内蔵アンテナ
２４：無線部
２５：信号処理部
２７：スピーカ
２８：マイクロホン
２９：音声処理部
３０：記憶部
３１：表示部
３２：各種キー
５１：画像ファイル抽出部
５２：正方形画像生成部
【図１】
0006520988.tif 000002
【図２】
0006520988.tif 000003
【図３】
0006520988.tif 000004
【図４】
0006520988.tif 000005
【図５】
0006520988.tif 000006
【図６】
0006520988.tif 000007
【図７】
0006520988.tif 000008
【図８】
0006520988.tif 000009
【図９】
0006520988.tif 000010
【図１０】
0006520988.tif 000011
【図１１】
0006520988.tif 000012